(57)【特許請求の範囲】
【請求項１】
ステアリングコラム（１１）に固定されるハウジング（１２）と、該ハウジング（１２）に設けられた収納孔（２０）に挿入、固定されるシリンダ体（１３）と、差込まれたキー（１４）による回動操作を可能としてシリンダ体（１３）に挿入されるロータ（１５）と、ステアリングコラム（１１）内に挿入されたステアリングシャフト（１７）との係合および係合解除を前記ロータ（１５）の回動に応じて切換えることを可能として前記ハウジング（１２）に支承されるロックピン（１８）とを備えるステアリングロック装置において、前記ロータ（１５）の回動軸線と斜めに交差する軸線を有して前記ハウジング（１２）に設けられる摺動孔（２２）に前記ロックピン（１８）がスライドを可能に嵌合され、前記ロータ（１５）に相対回動不能にかつ同軸に連結されて前記ハウジング（１２）に回動可能に支承されるジョイント（１６）に、前記ロータ（１５）とともに回動する該ジョイント（１６）の回動に応じて前記ロックピン（１８）をスライドさせるべく、前記ロックピン（１８）の内端部に当接するカム面（３２）が前記収納孔（２０）の外端側に臨んで形成されることを特徴とするステアリングロック装置。
【請求項２】
前記ハウジング（１２）には、前記収納孔（２０）と、前記ジョイント（１６）を回動可能に挿入することを可能として前記収納孔（２０）の内端に連なる支持孔（２１）と、該支持孔（２１）の軸線と斜めに交差する方向に延びて該支持孔（２１）を横切る前記摺動孔（２２）とが設けられ、前記摺動孔（２２）の外端から突出して前記ステアリングシャフト（１７）に係合するロック位置、該ロック位置よりも前記摺動孔（２２）の内方側にスライドして前記ステアリングシャフト（１７）との係合を解除するアンロック位置、ならびにアンロック位置よりも前記摺動孔（２２）の内方側にさらにスライドした組付位置間でのスライドを可能として前記摺動孔（２２）に嵌合されるとともに前記ロック位置側に向けてばね付勢されるロックピン（１８）の内端部に、前記アンロック位置およびロック位置間にロックピン（１８）が在る状態では前記支持孔（２１）に回動可能に挿入されたジョイント（１６）の前記カム面（３２）に前記摺動孔（２２）の内端側から当接、係合する係合部（３１）が設けられ、該係合部（３１）は、前記組付位置にロックピン（１８）が在る状態では該係合部（３１）との干渉を回避して前記ジョイント（１６）を前記支持孔（２１）に挿入することを可能とする形状に形成されることを特徴とする請求項１記載のステアリングロック装置。
【発明の詳細な説明】
【０００１】
【発明の属する技術分野】
本発明は、ステアリングコラムに固定されるハウジングと、該ハウジングに設けられた収納孔に挿入、固定されるシリンダ体と、差込まれたキーによる回動操作を可能としてシリンダ体に挿入されるロータと、ステアリングコラム内に挿入されたステアリングシャフトとの係合および係合解除を前記ロータの回動に応じて切換えることを可能として前記ハウジングに支承されるロックピンとを備えるステアリングロック装置に関する。
【０００２】
【従来の技術】
従来、かかる装置は、たとえば特公平４−２５１７９号公報等で既に知られている。
【０００３】
【発明が解決しようとする課題】
ところが、上記従来のものでは、キーによる回動操作が可能であるロータの回動軸線すなわちキーの差込み方向と、ロックピンの進退方向とが同一に設定されており、ステアリングロック装置をステアリングコラムに取付ける際のレイアウト上の自由度が小さい。
【０００４】
本発明は、かかる事情に鑑みてなされたものであり、レイアウト上の自由度を広げ得るようにしたステアリングロック装置を提供することを目的とする。
【０００５】
【課題を解決するための手段】
上記目的を達成するために、請求項１記載の発明は、ステアリングコラムに固定されるハウジングと、該ハウジングに設けられた収納孔に挿入、固定されるシリンダ体と、差込まれたキーによる回動操作を可能としてシリンダ体に挿入されるロータと、ステアリングコラム内に挿入されたステアリングシャフトとの係合および係合解除を前記ロータの回動に応じて切換えることを可能として前記ハウジングに支承されるロックピンとを備えるステアリングロック装置において、前記ロータの回動軸線と斜めに交差する軸線を有して前記ハウジングに設けられる摺動孔に前記ロックピンがスライドを可能に嵌合され、前記ロータに相対回動不能にかつ同軸に連結されて前記ハウジングに回動可能に支承されるジョイントに、前記ロータとともに回動する該ジョイントの回動に応じて前記ロックピンをスライドさせるべく、前記ロックピンの内端部に当接するカム面が前記収納孔の外端側に臨んで形成されることを特徴とする。
【０００６】
このような構成によれば、ロックピンの進退方向をロータの回動軸線に傾斜した方向に定めることができ、その傾斜角度を変化させることで、ステアリングロック装置のレイアウト上の自由度を広げることができる。
【０００７】
また請求項２記載の発明は、上記請求項１記載の発明の構成に加えて、前記ハウジングには、前記収納孔と、前記ジョイントを回動可能に挿入することを可能として前記収納孔の内端に連なる支持孔と、該支持孔の軸線と斜めに交差する方向に延びて該支持孔を横切る前記摺動孔とが設けられ、前記摺動孔の外端から突出して前記ステアリングシャフトに係合するロック位置、該ロック位置よりも前記摺動孔の内方側にスライドして前記ステアリングシャフトとの係合を解除するアンロック位置、ならびにアンロック位置よりも前記摺動孔の内方側にさらにスライドした組付位置間でのスライドを可能として前記摺動孔に嵌合されるとともに前記ロック位置側に向けてばね付勢されるロックピンの内端部に、前記アンロック位置およびロック位置間にロックピンが在る状態では前記支持孔に回動可能に挿入されたジョイントの前記カム面に前記摺動孔の内端側から当接、係合する係合部が設けられ、該係合部は、前記組付位置にロックピンが在る状態では該係合部との干渉を回避して前記ジョイントを前記支持孔に挿入することを可能とする形状に形成されることを特徴とする。
【０００８】
このような請求項２記載の発明の構成によれば、ばね付勢力に抗してロックピンを組付位置まで押し込んだ状態で、支持孔にジョイントを挿入すると、ロックピンの内端部に設けられる係合部との干渉を回避してジョイントを支持孔に挿入することができ、ジョイントを支持孔に挿入した後でロックピンを組付位置まで押し込む力を解放することによりロックピンを組付位置からアンロック位置にスライドさせると、支持孔内のジョイントのカム面に係合部が摺動孔の内方側から当接、係合する。これによりロックピンの摺動孔からの脱落が阻止されることになり、ハウジングへのロックピンおよびジョイントの組付操作が容易となる。
【０００９】
【発明の実施の形態】
以下、本発明の実施の形態を、添付の図面に示した本発明の一実施例に基づいて説明する。
【００１０】
図１〜図９は本発明の一実施例を示すものであり、図１はロック状態でのステアリングロック装置の縦断面図、図２は図１の２矢視図、図３は図１の３−３線断面図、図４はアンロック状態でのステアリングロック装置の縦断面図、図５はジョイントの斜視図、図６はジョイントの側面図、図７は図６の７−７線断面図、図８はステアリングロック装置の組付前の縦断側面図、図９はシリンダ錠ユニットのハウジングへの挿入過程を図８の９−９線矢視方向から見て順次示す図である。
【００１１】
先ず図１において、このステアリングロック装置は、ステアリングコラム１１に取付けられるハウジング１２と、該ハウジング１２に挿入、固定されるシリンダ体１３と、差し込まれたキー１４による回動操作を可能としてシリンダ体１３に挿入されるロータ１５と、該ロータ１５に相対回動不能にかつ同軸に連結されるとともにハウジング１２に回動自在に支承されるジョイント１６と、ステアリングコラム１１内に挿入されているステアリングシャフト１７の回動を阻止するロック状態ならびにステアリングシャフト１７の回動を可能としたアンロック状態を前記ロータ１５およびジョイント１６の回動に応じて切換えることを可能としてハウジング１２に支承されるロックピン１８と、前記ロータ１５の回動位置を検出するようにしてハウジング１２の側面に取付けられるロータリ式のスイッチ手段１９とを備える。
【００１２】
図２および図３を併せて参照して、シリンダ体１３は、非円形の横断面形状を有するように形成されており、ハウジング１２には、シリンダ体１３の外面形状に対応した内面形状を有する収納孔２０がシリンダ体１３を挿入可能として設けられるとともに、収納孔２０の外端側に臨む段部２３を収納孔２０の内端との間に形成する横断面円形の支持孔２１が設けられており、この支持孔２１にジョイント１６が回動可能に挿入される。
【００１３】
シリンダ体１３には、前記収納孔２０および支持孔２１間の段部２３に当接可能なストッパ板１３ａが一体に設けられており、ストッパ板１３ａを段部２３に当接させるまで収納孔２０に挿入されたシリンダ体１３の前端は、ハウジング１２の前端よりもわずかに突出する。而して該シリンダ体１３の前端外周部を覆うカバー２４がハウジング１２の前端に取付けられ、該カバー２４がハウジング１２の前端に取付けられている限りシリンダ体１３がハウジング１２から抜け出ることはなく、シリンダ体１３はハウジング１２に挿入、固定される。
【００１４】
キー挿入孔２５を有するロータ１５はシリンダ体１３に回動可能に挿入されており、ロータ１５の周方向に間隔をあけた位置で前記カバー２４には、キー挿入孔２５に挿入したキー１４の操作位置を示すために、ＬＯＣＫ位置、ＡＣＣ位置、ＯＮ位置およびＳＴＡＲＴ位置が表示される。
【００１５】
ハウジング１２には、前記支持孔２１の軸線すなわちロータ１５およびジョイント１６の回動軸線と斜めに交差する方向に延びて支持孔２１を横切るスリット状の摺動孔２２が設けられており、平板状に形成されたロックピン１８が該摺動孔２２にスライド可能に嵌合される。
【００１６】
このロックピン１８の外端はステアリングシャフト１７に設けられた係合孔２６に係脱可能であり、ロックピン１８は、摺動孔２２の外端から突出してステアリングシャフト１７の係合孔２６に係合するロック位置（図１で示す位置）と、図４で示すように前記ロック位置よりも摺動孔２２の内方側にスライドして前記係合孔２６から離脱してステアリングシャフト１７との係合を解除するアンロック位置との間でのスライドを可能として摺動孔２２に嵌合される。
【００１７】
しかも摺動孔２２は、前記ロックピン１８がアンロック位置よりも摺動孔２２のさらに内方側にスライドすることを可能として形成されており、ロックピン１８は、アンロック位置よりもさらに内方に設定される組付位置までスライドすることが可能である。
【００１８】
ロックピン１８には、摺動孔２２の長手方向に延びる矩形状の開口部２７が設けられており、この開口部２７には、ロックピン１８の両側面からはみ出すようにしてコイルばね２８が収容される。一方、ロックピン１８の両側面にそれぞれ対向する摺動孔２２の内側面には、前記コイルばね２８の両側部を収容し得る横断面半円状の収容溝２９，２９が内端を閉じるととともに外端を開放するようにしてそれぞれ設けられる。
【００１９】
而して図４で示すようにロックピン１８がアンロック位置に在る状態では、前記コイルばね２８の内端は開口部２７から離れて収容溝２９，２９の内端に当接しており、またコイルばね２８の外端は開口部２７の外端に当接しているので、コイルばね２８は、ロックピン１８をアンロック位置からロック位置側に付勢するばね力、すなわちステアリングシャフト１７の係合孔２６に係合する方向に付勢するばね力を発揮している。
【００２０】
図５〜図７を併せて参照して、ジョイント１６は、支持孔２１の内面で回動可能に支持される円盤部１６ａと、該円盤部１６ａの中心部に同軸に連なる円柱状の軸部１６ｂと、前記円盤部１６ａと間隔をあけた位置で軸部１６ｂから半径方向外方に張出す鍔部１６ｃとを一体に有するものであり、円盤部１６ａの周方向１箇所には、ロックピン１８の幅に対応した溝３０が軸方向に延びるようにして設けられる。一方、ロックピン１８の内端部には、前記溝３０に一部を収容せしめる略Ｊ字形の係合部３１が一体に設けられる。
【００２１】
支持孔２１にジョイント１６を挿入する際には、ロックピン１８を組付位置まで押し込んだ状態で、前記係合部３１に対応する位置に溝３０を配置したジョイント１６を支持孔２１に挿入すればよく、そうすれば溝３０を係合部３１が通過するようにして、係合部３１と干渉することなくジョイント１６を支持孔２１に挿入することができる。
【００２２】
ジョイント１６の円盤部１６ａには、前記係合部３１を当接、係合せしめるカム面３２が形成されており、このカム面３２は、前記収納孔２０の外端側に臨んで前記溝３０内に形成された低位面３２ａと、前記円盤部１６ａの軸部１６ｂとの間の段差面である高位面３２ｂとが、傾斜面３２ｃを介して連設されて成るものであり、前記係合部３１は、摺動孔２２の内端側から前記カム面３２に当接、係合される。
【００２３】
係合部３１がカム面３２の低位面３２ａに当接、係合している状態ではロックピン１８はコイルばね２８のばね力によりロック位置に在り、また係合部３１がカム面３２の低位面３２ａから傾斜面３２ｃを経て高位面３２ｂに当接、係合するようにジョイント１６が回動すると、ロックピン１８はコイルばね２８のばね力に抗してロック位置からアンロック位置へと強制的にスライド駆動される。
【００２４】
シリンダ体１３に回動可能に挿入されているロータ１５は、シリンダ体１３から突出してジョイント１６側に延びる軸部１５ａを一体に有するものであり、この軸部１５ａを相対回動可能に連結するための有底の連結穴３３がジョイント１６の軸部１６ｂに設けられる。しかも軸部１５ｂの横断面形状ならびに連結穴３３の横断面形状は、軸部１５ａの連結穴３３への差込みにより、相対回動不能な連結を可能とするために非円形に形成される。また軸部１５ｂおよび連結穴３３は、ロックピン１８の係合部３１に溝３０を対応させた位置にジョイント１６が回動している状態で、キー１４によりＡＣＣ位置にロータ１５を回動した状態にあるときの前記軸部１５ａが連結穴３３に対して軸方向に挿脱し得るように形成される。
【００２５】
ロータリ式のスイッチ手段１９が備えるスイッチハウジング３４は、収納孔２０の一側でハウジング１２に設けられた収容凹部３５に一部を収容するようにしてハウジング１２の側面に締結される。
【００２６】
ロータ１５の軸部１５ａには第１傘歯車３６が固定されており、この第１傘歯車３６に噛合する第２傘歯車３７はシリンダ体１３のストッパ板１３ａで回転自在に支承される検出軸３８に固定され、該検出軸３８がスイッチ手段１９内に突入される。而してスイッチ手段１９は、そのスイッチハウジング３４の一部を収容凹部３５に収容しつつハウジング１２に固定される際に、前記検出軸３８に相対回動不能に連結されることになり、ロータ１５の回動に応じた検出軸３８の回動位置がスイッチ手段１９で検出される。
【００２７】
図８および図９を併せて参照して、ステアリングロック装置の組立時には、シリンダ体１３と、ロータ１４と、第１傘歯車３６と、第２傘歯車３７と、第２傘歯車３７に同軸に固定されてシリンダ体１３のストッパ板１３ａに回転自在に支承される検出軸３８とが、シリンダ錠ユニット３９としてユニット化される。
【００２８】
シリンダ錠ユニット３９の組付時には、ロータ１５を挿入していない状態でのシリンダ体１３のストッパ板１３ａに、第２傘歯車３７を固定した検出軸３８を挿通し、次いで第１傘歯車３６を第２傘歯車３７に噛合せしめた状態で、第１傘歯車３６に軸部１５ａを相対回動不能に挿入するようにしてロータ１５をシリンダ体１３に挿入し、さらに第１傘歯車３６の軸方向移動を阻止するピン４５を軸部１５ａに挿通することでシリンダ錠ユニット３９の組付が完了する。
【００２９】
ハウジング１２には、ストッパ板１３ａからの検出軸３８の突出部を挿入すべく収納孔２０の側面に開口する挿入溝４０が、ハウジング１２の前面および収容凹部３５間にわたって設けられ、収容凹部３５の閉塞端には、検出軸３８を該収容凹部３５の中心部にもたらすための挿入スリット４１が前記挿入溝４０に連なるようにして設けられる。
【００３０】
前記挿入スリット４１の中間部一側には、検出軸３８の直径よりも当該中間部での挿入スリット４１の幅を小さくするための突部４２が設けられており、検出軸３８におけるストッパ板１３ａ寄りの部分の外面には、前記突部４２を通過させる溝４３が設けられる。而して溝４３は、ロータ１５に差込まれたキー１４がＡＣＣ位置となったときだけ前記突部４２を通過させ得る位置となるようにして検出軸３８の外面に設けられており、前記突部４２および溝４３は、ロータ１５に差込まれたキー１４がＡＣＣ位置となったときだけシリンダ錠ユニット３９のハウジング１２への挿脱を許容する挿脱規制部４４を構成する。
【００３１】
シリンダ錠ユニット３９のハウジング１２への組付にあたっては、先ず図９（ａ）で示すようにＬＯＣＫ位置でロータ１５にキー１４を挿入し、次いで図９（ｂ）で示すようにキー１４をＡＣＣ位置に回動操作した状態のシリンダ錠ユニット３９を、図９（ｃ）で示すようにハウジング１２に挿入する。この際、挿脱規制部４４はキー１４をＡＣＣ位置に回動していることにより、シリンダ錠ユニット３９のハウジング１２への挿脱を許容する状態にあり、図９（ｄ）で示すように、検出軸３８を収容凹部３５の中心部にもたらすまでシリンダ錠ユニット３９のハウジング１２に挿入することができる。この際、シリンダ錠ユニット３９におけるロータ１５の軸部１５ａは、ジョイント１６の連結穴３３に相対回動不能となるようにして挿入され、ロータ１５およびジョイント１６が連結される。
【００３２】
シリンダ錠ユニット３９のハウジング１２への挿入、完了後には、図９（ｅ）で示すように、キー１４をＡＣＣ位置からＬＯＣＫ位置に操作し、キー１４をロータ１５から引抜けばよく、その後で、カバー２４がハウジング１２の前面に取付けられる。
【００３３】
次にこの実施例の作用について説明すると、キー１４により回動操作されるロータ１５の回動軸線と斜めに交差する方向へのスライドを可能としたロックピン１８が、ステアリングシャフト１７の係合孔２６に挿脱可能に係合するようにしてハウジング１２に嵌合され、ロータ１５に相対回動不能に連結されてハウジング１２に回動可能に支承されるジョイント１６に、ロックピン１８の内端部に設けられている係合部３１に当接するカム面３２が形成されている。しかもカム面３２は、ロータ１５とともに回動するジョイント１６の回動に応じてロックピン１８をスライドさせるように形成されるものであり、したがってロックピン１８の進退方向をロータ１５の回動軸線に傾斜した方向に定めることができ、その傾斜角度を変化させることで、ステアリングロック装置のレイアウト上の自由度を広げることができる。
【００３４】
またハウジング１２には、ジョイント１５を回動可能に挿入し得る支持孔２１と、該支持孔２１の軸線と斜めに交差する方向に延びて該支持孔２１を横切る摺動孔２２とが設けられており、該摺動孔２２には、摺動孔２２の外端から突出してステアリングシャフト１７に係合するロック位置、該ロック位置よりも摺動孔２２の内方側にスライドしてステアリングシャフト１７との係合を解除するアンロック位置、ならびにアンロック位置よりも摺動孔２２の内方側にさらにスライドした組付位置間でのスライドを可能としてロックピン１８が嵌合され、該ロックピン１８はコイルばね２８によりロック位置側に向けてばね付勢されている。しかもロックピン１８の内端部に設けられた係合部３１は、アンロック位置およびロック位置間にロックピン１８が在る状態では支持孔２１に回動可能に挿入されたジョイント１６のカム面３２に摺動孔２２の内端側から当接、係合するが、前記組付位置にロックピン１８が在る状態では該係合部３１との干渉を回避してジョイント１６を支持孔２２に挿入することを可能とするものである。
【００３５】
すなわちジョイント１６およびロックピン１８のハウジング１２への組付時には、図８で示すように、コイルばね２８のばね付勢力に抗してロックピン１８を組付位置まで押し込んだ状態で、係合部３１に対応する位置に溝３０を配置したジョイント１６を支持孔２１に挿入すればよく、そうすれば溝３０を係合部３１が通過するようにして、係合部３１と干渉することなくジョイント１６を支持孔２１に挿入することができる。その後で、ロックピン１８を組付位置まで押し込む力を解放することによりロックピン１８を組付位置からアンロック位置にスライドさせると、支持孔２１内のジョイント１６のカム面３２に係合部３１が摺動孔２２の内端側から当接、係合する。これによりロックピン１８の摺動孔２２からの脱落が阻止されることになり、ハウジング１２へのロックピン１８およびジョイント１６の組付操作が容易となる。
【００３６】
またハウジング１２の側面にはロータ１５の回動位置すなわちキー１４の操作位置を検出するロータリ式のスイッチ手段１９が取付けられるのであるが、ロータ１５に同軸に連結される第１傘歯車３６と、第１傘歯車３６に噛合する第２傘歯車３７と、第２傘歯車３７に同軸に固定されてシリンダ体１３のストッパ板１３ａに回転自在に支承される検出軸３８とが、ハウジング１２への挿脱を可能としたシリンダ錠ユニット３９としてユニット化されており、ハウジング１２に挿入されたシリンダ錠ユニット３９の検出軸３８に、前記スイッチ手段１９が連結される。
【００３７】
したがってハウジング１２とは別に組付けられたシリンダ錠ユニット３９をハウジング１２に挿入し、該シリンダ錠ユニット３９が備える検出軸３８にスイッチ手段１９を連結すればよいので、ロータリ式のスイッチ手段１９の組付作業が容易となり、しかもステアリングロック装置全体の構造も複雑化することはない。
【００３８】
またハウジング１２およびシリンダ錠ユニット３９間には、ロータ１５に差込まれたキー１４がＡＣＣ位置となるときだけシリンダ錠ユニット３９のハウジング１２への挿脱を許容する挿脱規制部４４が設けられており、ロータ１５をＬＯＣＫ位置としてキー１４を抜き取った状態では、シリンダ錠ユニット３９をハウジング１２から離脱せしめることは困難であり、防盗性を向上することができる。
【００３９】
以上、本発明の実施例を説明したが、本発明は上記実施例に限定されるものではなく、特許請求の範囲に記載された本発明を逸脱することなく種々の設計変更を行うことが可能である。
【００４０】
【発明の効果】
以上のように請求項１記載の発明によれば、ロックピンの進退方向をロータの回動軸線に傾斜した方向に定めることができ、その傾斜角度を変化させることで、ステアリングロック装置のレイアウト上の自由度を広げることができる。
【００４１】
また請求項２記載の発明によれば、ハウジングへのロックピンおよびジョイントの組付操作が容易となる。
【図面の簡単な説明】
【図１】ロック状態でのステアリングロック装置の縦断面図である。
【図２】図１の２矢視図である。
【図３】図１の３−３線断面図である。
【図４】アンロック状態でのステアリングロック装置の縦断面図である。
【図５】ジョイントの斜視図である。
【図６】ジョイントの側面図である。
【図７】図６の７−７線断面図である。
【図８】ステアリングロック装置の組付前の縦断側面図である。
【図９】シリンダ錠ユニットのハウジングへの挿入過程を図８の９−９線矢視方向から見て順次示す図である。
【符号の説明】
１１・・・ステアリングコラム
１２・・・ハウジング
１３・・・シリンダ体
１４・・・キー
１５・・・ロータ
１６・・・ジョイント
１７・・・ステアリングシャフト
１８・・・ロックピン
２０・・・収納孔
２１・・・支持孔
２２・・・摺動孔
３１・・・係合部
３２・・・カム面
【図１】
0004326106.tif 000002
【図２】
0004326106.tif 000003
【図３】
0004326106.tif 000004
【図４】
0004326106.tif 000005
【図５】
0004326106.tif 000006
【図６】
0004326106.tif 000007
【図７】
0004326106.tif 000008
【図８】
0004326106.tif 000009
【図９】
0004326106.tif 000010